(57)【要約】【課題】  大掛かりな作業を不要とし、熟練工でなくとも容易に施工することができ、耐火性、遮音性、防振性、および信頼性を高めた排水竪管の接続構造とする。【解決手段】  区画貫通部に配設された竪管本体３は、上流側端部に拡径された受口部３１を備えるとともに、この受口部３１の内面に環状パッキン３２が設けられて、排水集合継手２の挿口部２３が水密状態に嵌挿される。受口部３１の外周は、不燃性を有する外装シート材４で被覆され、さらに、この外装シート材４の外周には、金属製の固定部材５が外装される。火災が発生した際には、熱膨張する竪管本体３を前記受口部３１の外周側から、これらの外装シート材４と固定部材５とが押圧および支持して、建物の防火区画を維持する。【選択図】  図１
2015004191.tif 000002
【特許請求の範囲】
【請求項１】
コンクリートスラブを貫通して設けられる排水集合継手と、この排水集合継手の下流側の竪管本体とを接続する排水竪管の接続構造であって、
前記排水集合継手は下流側端部に挿口部が設けられ、
前記竪管本体は、熱膨張性耐火材を含有する耐火パイプであり、上流側端部に拡径された受口部を備えるとともに、この受口部の内面に環状パッキンが設けられて、前記挿口部が水密状態に嵌挿され、
前記受口部から該受口部の下部にかけての外周面には、不燃性を有する外装シート材が被覆され、この外装シート材の外周には金属製の固定部材が外嵌されて、熱膨張する竪管本体を外周側から押圧支持することを特徴とする排水竪管の接続構造。
【請求項２】
請求項１に記載の排水竪管の接続構造において、
前記外装シート材は、金属被膜を設けて耐火性を有する樹脂シート層と、該樹脂シート層に積層されて吸音性および遮音性を有する無機繊維シート層とを具備することを特徴とする排水竪管の接続構造。
【請求項３】
請求項１または２に記載の排水竪管の接続構造において、
前記固定部材として、前記受口部の下部外周面に支持金具が取り付けられ、
この支持金具は、略環状の内面を備えて前記外装シート材の外周部に取り付けられる保持部材と、この保持部材をコンクリートスラブに吊持ち支持するアンカー部材とを備え、
前記竪管本体がコンクリートスラブの下方に前記支持金具を介して固定されるとともに、前記受口部の下部が、前記支持金具により外周側から締め付けられていることを特徴とする排水竪管の接続構造。
【請求項４】
請求項３に記載の排水竪管の接続構造において、
前記固定部材として、さらに、前記支持金具の上方に金属製の円筒部材が外嵌されて、前記受口部が外周側から締め付けられていることを特徴とする排水竪管の接続構造。
【発明の詳細な説明】
【技術分野】
【０００１】
本発明は、複層建築物における排水竪管の接続構造に関する。
【背景技術】
【０００２】
複層からなる建築物において、給排水管や配電管等の配管設備は、床埋め込み配管、天井内配管、又はパイプシャフト等の竪穴配管により設けられることが多いが、床スラブや壁などの構造躯体に貫通させて設けられることもある。
【０００３】
例えば、床スラブに貫通させて設ける竪管の場合、予めコンクリートの床スラブに形成された貫通孔に竪管が挿通されている。集合住宅やホテル等の複層建築物における排水設備配管の場合には、上階と下階との間のコンクリートスラブに貫通して排水集合継手が設置される。排水集合継手は、排水竪管と横枝管との合流継手であり、各設備機器からの排水を合流させて下階の排水竪管に流入させる。排水集合継手は、汚水と雑排水とを混合して下水道に排水することが可能であり、内部に羽根を設けて排水性能を向上させることが知られている（例えば、特許文献１、２参照）。
【０００４】
特許文献１には、建築物の区画貫通部に配設される管継手の外周面に弾性材料からなる防振材を付設し、モルタルにて区画貫通部を埋め戻すことが記載されている。また、特許文献２には、不燃性管端部を有する管材と可燃性管端部を有する管材とが接続される部分に、可燃性管端部の外側を取り囲む不燃性の部材本体を設置し、この部材本体の内周側に熱膨張性耐火材を設けることが記載されている。部材本体は、押し輪を兼ねている盤体状部分と、この片面側に設けられた円筒状部分とで形成され、受口まわりに張り出したフランジに重ね合わせてゴム輪と押し輪とが設けられ、これらがボルト・ナットの締結により連結されている。
【先行技術文献】
【特許文献】
【０００５】
【特許文献１】特開平６−３０６９０４号公報
【特許文献２】特開２００８−１２１４１３号公報
【発明の概要】
【発明が解決しようとする課題】
【０００６】
複層建築物においては、火災時に延焼の拡大を防ぎ、火災を局部的なものに抑えて避難を容易にするため、一定面積以内ごとに防火区画を設けなければならない（建築基準法施行令第１１２条第１５項等）。給排水管、配電管その他の管が、前記防火区画の床等を貫通する場合には、当該管と防火区画の床等との隙間をモルタルその他の不燃材料で埋めなければならず、排水竪管として、鋳鉄管、鋼管などの他に硬質塩化ビニルパイプの外周に繊維混入モルタルの外管等で覆った耐火複層管も用いられている。
【０００７】
鋳鉄管や鋼管を使用する場合、耐火性には優れているものの、重量が大きいため配管工事が大掛かりとなるうえ、排水が管内部を通過するときに相当の騒音が発生するという問題点があった。そのため、騒音を低減する対策として、排水竪管の外側に防音材を巻き付ける遮音工事を後施工で行い、排水竪管の遮音性を確保する必要があった。しかし、排水竪管の配管作業後に、別の作業者によって遮音工事を行うことになるので、作業工数、作業人数、施工期間、および施工費用の点で好ましいとはいえなかった。
【０００８】
排水竪管として耐火複層管を用いる場合には、耐火性能を確保するため、外管の継ぎ目にセメント系または珪酸ソーダ系の目地材を塗布したり、金属製目地カバーを装着したりする必要があった。この場合にも、煩雑で手間のかかる熟練作業を必要とし、未だ改善の余地があった。また、特許文献２に開示されるような排水管構造にあっても、ゴム輪と押し輪との連結作業に手間がかかり、ボルトの締め忘れや締め込み不足など、作業精度によって、漏水等の不具合を招くおそれをぬぐいきれないものであった。
【０００９】
本発明は、上記のような問題点にかんがみてなされたものであり、その目的とするところは、大掛かりな作業を不要とし、熟練工でなくとも容易に施工することができ、耐火性、遮音性、防振性、および信頼性のいずれにも優れた排水竪管の接続構造を提供することにある。
【課題を解決するための手段】
【００１０】
前記の目的を達成するための本発明の解決手段は、コンクリートスラブを貫通して設けられる排水集合継手と、この排水集合継手の下流側の竪管本体とを接続する排水竪管の接続構造を前提とする。この排水竪管の接続構造に対し、前記排水集合継手は下流側端部に挿口部を備え、また、前記竪管本体は、熱膨張性耐火材を含有する耐火パイプであって、上流側端部に拡径された受口部を備え、この受口部の内面に環状パッキンを設けて、前記挿口部を水密状態に嵌挿した構成としている。そして、前記受口部から該受口部の下部にかけての外周面を、不燃性を有する外装シート材で被覆し、この外装シート材の外周に金属製の固定部材を外嵌して、熱膨張する竪管本体を外周側から押圧支持することとしている。
【００１１】
この特定事項により、竪管本体が加熱された際、外装シート材と固定部材とが、前記竪管本体の受口部および受口部の下流側を外周側から押圧支持するので、熱膨張する竪管本体が、当該受口部の近傍において径方向外側へ膨張するのを抑制する。このため、排水集合継手と排水竪管との接続状態が保持されるとともに、排水集合継手の下流側が閉塞されて、コンクリートスラブの貫通孔を効果的に閉塞することができる。したがって、火災が発生した際には排水竪管を通じての火炎の侵入を防ぎ、防火区画を維持することが可能となる。また、外装シート材や固定部材は、複雑な作業工程を要することなく確実に設置することが可能であるので、漏水等の不具合を生じるおそれがなく、竪管本体と排水集合継手との接続部における信頼性を高めることができる。
【００１２】
前記排水竪管の接続構造のより具体的な構成として次のものが挙げられる。すなわち、前記外装シート材として、金属被膜を設けて耐火性を有する樹脂シート層と、該樹脂シート層に積層されて吸音性および遮音性を有する無機繊維シート層とを具備させることが好ましい。
【００１３】
前記樹脂シート層としては、塩化ビニル、ポリエチレン、ポリプロピレン、ポリエチレンテレフタレートなどのシート材を基材として用いることができる。金属被膜を構成する金属としては、アルミニウムや銅などを挙げることができ、被膜形成方法としては、蒸着法やコーティング法などが挙げられる。また、無機繊維シート層としては、ロックウール、ガラスウール、スチールウールなどの無機繊維により構成することができる。
【００１４】
かかる外装シート材は竪管本体の受口部の外周部を被覆しているので、竪管本体が熱膨張するとき、受口部の外周側から竪管本体を押圧して内周側に膨張させる作用をなす。したがって、竪管本体は、排水集合継手の下流側で内部が閉塞されて脱落することがなく、火炎の侵入を防いで、防火区画を効果的に維持することができる。
【００１５】
また、前記固定部材として、前記受口部の下部外周面に支持金具を取り付け、この支持金具として、略環状の内面を備えて前記外装シート材の外周部に取り付けられる保持部材と、この保持部材をコンクリートスラブに吊持ち支持するアンカー部材とを備えさせ、前記竪管本体をコンクリートスラブの下面に前記支持金具を介して固定するとともに、前記受口部を外周側から締め付けることが好ましい。
【００１６】
これにより、竪管本体が熱膨張するとき、固定部材としての支持金具は、受口部の外周側から押圧して内周側に膨張させる作用をなすので、前記外装シート材との相乗効果により、効果的に火炎の侵入を防ぐことが可能となる。
【００１７】
また、前記固定部材として、さらに、前記支持金具の上方に金属製の円筒部材を外嵌させて、前記受口部を外周側から締め付け固定するように構成してもよい。
【００１８】
これにより、円筒部材は前記支持金具とともに受口部の外周側から竪管本体を押圧して内周側に膨張させる作用をなし、排水集合継手の下流側の内部が閉塞されて脱落することがなく、より一層効果的に、火炎の侵入を防ぐことができ、防火区画を維持することが可能となる。
【発明の効果】
【００１９】
本発明では、排水集合継手は下流側端部に挿口部を備え、竪管本体は、熱膨張性耐火材を含有する耐火パイプであり、上流側端部に拡径された受口部を備えて前記挿口部を水密状態に嵌挿した構成としている。そして、前記受口部の外周は、不燃性を有する外装シート材で被覆し、この外装シート材の外周に金属製の固定部材を外装して、熱膨張する竪管本体を前記受口部の外周側から押圧支持する構成としている。このため、竪管本体が加熱された際、外装シート材と固定部材とが、前記竪管本体の受口部近傍を外周側から押圧支持するので、熱膨張する竪管本体を径方向の内側へ膨張させ、排水竪管を効果的に閉塞することが可能となる。また、外装シート材や固定部材は、複雑な施工工程を要することなく確実に設置することができるので、漏水等の不具合を生じるおそれがなく、竪管本体と排水集合継手との接続部における信頼性を高めることが可能となる。
【図面の簡単な説明】
【００２０】
【図１】本発明の実施の形態に係る排水竪管の接続構造を一部破断して示す説明図である。
【図２】本発明の他の実施の形態に係る排水竪管の接続構造を示す説明図である。
【発明を実施するための形態】
【００２１】
以下、本発明の実施の形態に係る排水竪管の接続構造について、図面を参照しつつ説明する。
【００２２】
図１および図２は本発明の実施形態に係る排水竪管の接続構造を示す説明図である。
【００２３】
床スラブ１０はコンクリート構造であって、防火区画の床に該当しており、床スラブ１０を貫通して排水竪管１が高さ方向に配設されている。床スラブ１０には、排水竪管１における排水集合継手２が設置されている。排水集合継手２の下流側の端部には、排水竪管１を構成する竪管本体３が接続されている。
【００２４】
排水集合継手２は、鋳鉄製の本体部２１に、上流側の竪管本体３との接続口２２が上端部に設けられ、下端部には下流側の竪管本体３と接続される挿口部２３が設けられている。挿口部２３は、本体部２１よりも縮径されて形成されている。本体部２１の側面には、横枝管と接続するための複数の横枝管接続口２４が設けられている。
【００２５】
床スラブ１０のように防火区画に該当する床は、主要構造部における耐火構造の種類や階数等に応じて、特定防火設備で区画しなければならないことが規定されている。特に、給水管、排水管その他の配管設備が当該防火区画の床を貫通する場合には、床との隙間を不燃材料で埋めなければならないとされている。
【００２６】
排水集合継手２は、複層建築物の階床を構成する床スラブ１０に設けられた貫通部１０１に挿通されている。床スラブ１０の貫通部１０１と排水集合継手２との隙間は、不燃材料であるモルタル１０２で埋められ、床スラブ１０に一体化されている。
【００２７】
竪管本体３は、例えば屋内配管とされた排水用の配管である。竪管本体３は、熱膨張性耐火材を含有する耐火パイプにより形成されている。図示するように、竪管本体３は、上流側端部に、拡径された受口部３１を備えている。この受口部３１の内面には、環状パッキン３２が設けられている。
【００２８】
熱膨張性耐火材としては、これを例えば約３０分間加熱して膨張が飽和したとき、この飽和時の体積膨張倍率が５〜２０倍となる所定の要求性能を満たすものが好ましい。すなわち、ＪＩＳ  Ａ  １３０４に規定される２時間耐火の性能基準を満たし、加熱時の体積膨張倍率（初期厚みに対する膨張後の厚みの比）が５〜２０倍である熱膨張性材料からなる管状体を用いることができる。また、熱膨張性耐火材は、エポキシ樹脂等の熱可塑性樹脂、熱膨張性黒鉛等の熱膨張性無機化合物、及び無機充填剤を含有させて構成されていることが好ましい。
【００２９】
受口部３１の環状パッキン３２は、ＥＰＤＭやＳＢＲ等の合成ゴム成形品であり、環状の基板部の内面に、周方向に突条が形成されている。環状パッキン３２として、受口部３１の上端部周縁には、受口部３１の内方へ突出するリップ形状の突条が設けられることが好ましい。
【００３０】
環状パッキン３２は、排水集合継手２の挿口部２３の外面に圧接されて密着し、排水集合継手２の下流側端部が竪管本体３から抜けにくい構成とされている。これにより、竪管本体３の受口部３１は、挿口部２３の挿入を許容し、挿入された挿口部２３の抜け出しを防止している。また、受口部３１は、排水集合継手２の挿口部２３に水密状態に接続されている。
【００３１】
受口部３１から、この受口部３１の下部にかけての外周面は、不燃性を有する外装シート材４で被覆されている。外装シート材４は、金属被膜を設けて耐火性を有する樹脂シート層と、樹脂シート層に積層されて吸音性および保温性を有する無機繊維シート層とを備えてシート状に形成されている。
【００３２】
これらのうち、樹脂シート層は、金属被膜を有する樹脂シートであり、例えば、ＰＥＴやＰＰなどのベースフィルムに、アルミニウムを真空蒸着させたシート材により形成されることが好ましい。樹脂シート層の厚みは０．５ｍｍ程度で形成されるとよい。
【００３３】
無機繊維シート層は、比重の異なる複数種類の無機繊維シート材が積層されて形成されている。例えば、無機繊維シート材として、高比重の無機質繊維製シート（具体的には、比重０．７のロックウールシートであって、厚みが２．５ｍｍのシート材。）と、低比重の無機質繊維製シート（具体的には、比重０．２のロックウールシートであって、厚みが１２．０ｍｍのシート材。）とが順に積層されて形成されている。これにより、外装シート材４は、厚みが１５ｍｍ程度のシート材として形成されている。
【００３４】
外装シート材４は、前記樹脂シート層により耐火性能が確保され、前記無機繊維シート層により吸音性能および遮音性能が確保されている。外装シート材４を、樹脂シート層を外面にして、受口部３１および受口部３１下部の外周面に巻き付けて配設することにより、熱の透過が抑制され、かつ竪管本体３の排水騒音や振動等を低減させることができる。
【００３５】
外装シート材４の外周には、金属製の固定部材５が配設されている。例示の形態では、固定部材５として、受口部３１の下流側に支持金具６が取り付けられている。竪管本体３は、床スラブ１０の下面に、この支持金具６を介して固定されている。
【００３６】
支持金具６は、略環状の内面を備えて、竪管本体３を内挿保持する保持部材６１と、この保持部材６１を床スラブ１０に支持する支持部材６３とを備えている。
【００３７】
保持部材６１は、例えば、帯状の金属板からなる一組の半割円環部材として形成され、分割箇所で外方に屈曲形成された接続片６２を互いに接合して竪管本体３に取り付けられている。また、保持部材６１は、接続片６２同士の間に隙間を残して締め付ける程度で、竪管本体３に外嵌しうる外形寸法にて形成されている。これにより、ボルト・ナットを締結する簡単な作業だけで、保持部材６１を、外装シート材４の外面から竪管本体３に対して強固に取り付けることができる。保持部材６１の取付位置は、竪管本体３の受口部３１の直下部とされることが好ましい。
【００３８】
これに対し、支持部材６３は、ブラケット６４とアンカーボルト６５とを備えている。ブラケット６４は、保持部材６１の両接続片６２の下方に、接続片６２と交差する方向に配設されている。ブラケット６４には貫通孔が形成されており、貫通孔にアンカーボルト６５が挿通されている。アンカーボルト６５の上端部は、床スラブ１０にねじ込まれて固定されている。
【００３９】
保持部材６１は、支持部材６３により床スラブ１０に吊り下げられて固定されている。すなわち、ブラケット６４の下面側で、アンカーボルト６５に螺合されたナットを締め付け、支持金具６を床スラブ１０の下方に吊持ち支持した構成とされている。アンカーボルト６５に対するブラケット６４の高さ位置を調整することで、保持部材６１の取付位置を調整することができる。
【００４０】
実施の形態に係る排水竪管１の接続構造においては、図２に示すように、固定部材５として、上記構成の支持金具６が単独で設けられた構成であってもよい。また、図１に示すように、さらに、固定部材５として、支持金具６の上方に金属製の円筒部材７が外嵌された構成であってもよい。
【００４１】
すなわち、支持金具６にあっては、受口部３１の下方に保持部材６１が取り付けられて、竪管本体３に係止し、脱落を防ぐ作用をなす。また、この保持部材６１は、排水集合継手２と竪管本体３との接続部の下方において、外装シート材４の外周側から竪管本体３を押圧する。これにより、火災が発生した際には、火炎の影響により熱膨張する竪管本体３を、受口部３１の下方において外装シート材４と保持部材６１とが押圧し、内周側へと膨張させる。したがって、竪管本体３は、当該箇所において、径方向の外側には膨張せず、内側に膨張して、内部を確実に閉塞するものとなり、十分に防火区画を維持することができる。
【００４２】
これに加えて、図１に示す形態では、さらに円筒部材７を設けている。円筒部材７は、保持部材６１の上方に配設されて、受口部３１の外周部を覆うように設けられる。
【００４３】
円筒部材７は、金属製の帯板状体からなり、例示の形態では受口部３１の高さとほぼ同等の高さ寸法を有して、竪管本体３と同心状に配設されている。円筒部材７は、周方向の一部に図示しないスリットが設けられている。これにより、円筒部材７は、その弾性により径方向に押し拡げられて、開放可能とされている。また、円筒部材７は、当該スリット部分に、互いに係合可能な機械的結合手段が備えられて、閉合可能とされている。
【００４４】
竪管本体３の受口部３１は、外装シート材４の外側に円筒部材７が嵌合されて、この円筒部材７により被覆されている。円筒部材７により被覆される範囲は、図１に示すように、少なくとも受口部３１の上端部を含むことが好ましく、さらに、受口部３１の上端縁から保持部材６１の上縁部までの範囲に拡張されてもよい。
【００４５】
竪管本体３の受口部３１およびその下方部分は、支持金具６の保持部材６１と円筒部材７とによって、外周側から締め付けられている。このため、火災が発生した際には、火炎の影響により熱膨張する竪管本体３を、受口部３１および受口部３１の下方において外周側から押圧し、内周側へ膨張させることができる。したがって、竪管本体３は、径方向の外側への膨張が抑制され、内部を確実に閉塞するものとなる。また、支持金具６により竪管本体３が床スラブ１０に支持固定されているので、火炎の影響を受けても、竪管本体３を脱落させるおそれがなく、建築物の防火区画を好適に維持することができる。
【００４６】
加えて、かかる排水竪管１の接続構造によれば、大掛かりな配管作業や管同士の接続作業が一切不要とされるので、熟練工でなくとも確実かつ容易に施工することができる。これにより施工された排水竪管１は、複層建築物の全体にわたって、優れた耐火性、吸音性、遮音性、および防振性を有するものとなり、排水集合継手２と竪管本体３と接続部における信頼性を高めることができる。
【００４７】
なお、本発明に係る排水竪管１の接続構造は、上記実施形態以外にも他の様々な形で実施することができる。例えば、固定部材５として、受口部３１の下方に設けられる支持金具６は、例示した形態に限られず、竪管本体３の排水集合継手２との接続部における脱落を防止し、竪管本体３の外周側への膨張を抑制しうる構成であれば、他のどのような形態からなるものであってもよい。また、排水集合継手２も、例示の形態のものに限られず、竪管路と横管路とを接続し、排水を下方の竪管本体３へ円滑に流下させる構造を有するものであれば、どのような構成であってもよい。そのため、本発明は、上記実施形態に限定されるものではない。
【産業上の利用可能性】
【００４８】
本発明は、複層建築物の防火区画を貫通して設けられる排水竪管の接続構造として好適に利用可能である。
【符号の説明】
【００４９】
１    排水竪管
２    排水集合継手
２１  本体部
２２  接続口
２３  挿口部
２４  横枝管接続口
３    竪管本体
３１  受口部
３２  環状パッキン
４    外装シート材
５    固定部材
６    支持金具
６１  保持部材
６２  接続片
６３  支持部材
６４  ブラケット
６５  アンカーボルト
７    円筒部材
１０    床スラブ
１０１  貫通部
１０２  モルタル
【図１】
2015004191.tif 000003
【図２】
2015004191.tif 000004